(57)【要約】【課題】  長さが調節可能なケーブル管理装置及び連結アセンブリを提供すること。【解決手段】  ケーブル管理装置は第１のケーブル管理アームと、第２のケーブル管理アームと、補助部材とを含む。第２のケーブル管理アームは第１のケーブル管理アームに対して可動である。補助部材は、ケーブル管理装置の長さをの延ばすために第１のケーブル管理アーム及び第２のケーブル管理アームのうちの一方に対して第１の位置から第２の位置に動かすことができる。【選択図】  図３
2019037117.tif 000002
【特許請求の範囲】
【請求項１】
第１のケーブル管理アームと
前記第１のケーブル管理アームに対して可動な第２のケーブル管理アームと、
前記第１のケーブル管理アーム及び前記第２のケーブル管理アームのうちの一方に対して伸縮可能な補助部材と、
を含むケーブル管理装置。
【請求項２】
前記第１のケーブル管理アーム及び前記第２のケーブル管理アームのうちの前記一方はガイド部を含み、該ガイド部は前記補助部材の動きを促進する、請求項１に記載のケーブル管理装置。
【請求項３】
前記補助部材に可動に接続されるとともに前記ケーブル管理装置と第１の対象物体とを接続するように構成された第１の接続部材と、
前記第１のケーブル管理アーム及び前記第２のケーブル管理アームのうちの他方に可動に接続されるとともに前記ケーブル管理装置と第２の対象物体とを接続するように構成された第２の接続部材と
をさらに含み、
前記第１の接続部材は前記補助部材の端部に枢結され、前記第２の接続部材は前記第１のケーブル管理アーム及び前記第２のケーブル管理アームのうちの前記他方の端部に枢結されている、請求項１に記載のケーブル管理装置。
【請求項４】
前記第１のケーブル管理アーム及び前記第２のケーブル管理アームのうちの少なくとも１つはケーブル保持部を含み、前記第１のケーブル管理アーム及び前記第２のケーブル管理アームは互いに枢結され、
前記ケーブル管理装置は、前記第１のケーブル管理アーム及び前記第２のケーブル管理アームのうちの一方を支持するように構成された少なくとも１つの支持部材をさらに含む、請求項１に記載のケーブル管理装置。
【請求項５】
第１のレール及び第２のレールを含み、該第１のレール及び該第２のレールは互いに対して可動である、第１のスライドレールアセンブリと、
第１のケーブル管理装置と、
を含む連結アセンブリであって、
前記第１のケーブル管理装置は、
第１のケーブル管理アームと、
前記第１のケーブル管理アームに対して枢動可能な第２のケーブル管理アームと、
前記第１のケーブル管理アーム及び前記第２のケーブル管理アームのうちの一方の長さ方向に沿って可動な補助部材と、を含み、
前記補助部材は前記第１のレールに接続されるように構成され、
前記第１のケーブル管理アーム及び前記第２のケーブル管理アームのうちの他方は前記第２のレールに接続されるように構成されている、連結アセンブリ。
【請求項６】
前記第１のケーブル管理アーム及び前記第２のケーブル管理アームのうちの前記一方はガイド部を含み、該ガイド部は前記補助部材の動きを促進する、請求項５に記載の連結アセンブリ。
【請求項７】
前記補助部材に可動に接続されるとともに、前記補助部材と前記第１のレールとを接続するように構成された第１の接続部材と、
前記第１のケーブル管理アーム及び前記第２のケーブル管理アームのうちの前記他方に可動に接続されるとともに前記第１のケーブル管理アーム及び前記第２のケーブル管理アームのうちの前記他方と前記第２のレールとを接続するように構成された第２の接続部材と、をさらに含み、
前記第１の接続部材は前記補助部材の端部に枢結され、前記第２の接続部材は前記第１のケーブル管理アーム及び前記第２のケーブル管理アームのうちの前記他方の端部に枢結されている、請求項５に記載の連結アセンブリ。
【請求項８】
前記第１のケーブル管理アーム及び前記第２のケーブル管理アームのうちの少なくとも一方はケーブル保持部を含み、前記第１のケーブル管理アーム及び前記第２のケーブル管理アームは接続ベースによって互いに枢結され、
前記連結アセンブリは前記第１のケーブル管理アーム及び前記第２のケーブル管理アームのうちの一方を支持するように構成された少なくとも１つの支持部材をさらに含む、請求項５に記載の連結アセンブリ。
【請求項９】
第３のレール及び第４のレールを含み、該第３のレール及び該第４のレールは互いに対して可動である第２のスライドレールアセンブリと、
第２のケーブル管理装置と、をさらに含み、
前記第２のケーブル管理装置は、
第３のケーブル管理アームと
前記第３のケーブル管理アームに対して枢動可能な第４のケーブル管理アームと、
前記第３のケーブル管理アーム及び前記第４のケーブル管理アームのうちの一方の長さ方向に沿って可動な支援部材と、
前記支援部材に可動に接続される第３の接続部材であって、前記支援部材は該第３の接続部材により前記第３のレールに接続される、第３の接続部材と、を含む、請求項８に記載の連結アセンブリ。
【請求項１０】
前記第３のケーブル管理アーム及び前記第４のケーブル管理アームのうちの前記他方に可動に接続される第４の接続部材をさらに含み、前記第３のケーブル管理アーム及び前記第４のケーブル管理アームのうちの前記他方は該第４の接続部材によって前記第４のレールに接続され、
前記第３の接続部材は前記支援部材の端部に枢結され、前記第４の接続部材は前記第３のケーブル管理アーム及び前記第４のケーブル管理アームのうちの前記他方の端部に枢結され、
前記補助部材は第１の接続ブラケットにより前記第１のレールに接続され、前記第１のケーブル管理アーム及び前記第２のケーブル管理アームのうちの前記他方は第２の接続ブラケットにより前記第２のレールに接続され、前記少なくとも１つの支持部材は第３の接続ブラケットにより前記第４のレールに接続され、前記第１の接続ブラケット、前記第２の接続ブラケット及び前記第３の接続ブラケットは前記第１のスライドレールアセンブリの長さ方向に対して所定の高さを有する、請求項９に記載の連結アセンブリ。
【発明の詳細な説明】
【技術分野】
【０００１】
本発明はケーブル管理装置及び連結アセンブリに関し、より具体的にはケーブル管理装置及びラックシステムのための連結アセンブリに関する。
【背景技術】
【０００２】
図１及び図２に示すように、スライドレールアセンブリ１０２、１０４は、ラックシステムにおいて電子機器１００の両側に取り付けられている。スライドレールアセンブリ１０２、１０４は、電子機器１００をラック１０６の内部から方向Ｄに沿って引き出すことができるか又はラック１０６の外から引っ込めることができるように電子機器１００をラック１０６に取り付けるのを支援する。一般に、電子機器１００はケーブルを備える。スライドレールアセンブリ１０２、１０４のレールを通じて電子機器１００をラック１０６の内部から引き出すか又はラック１０６の外から引っ込める場合、電子機器１００を引き出すか又は引っ込める間にケーブルを整った状態で維持するためケーブルを配置又は収容するためのケーブル管理装置１０８が必要になる。従来のケーブル管理装置１０８はケーブル管理アーム１０８ａ、１０８ｂという少なくとも２つの区画を含む。ケーブル管理アーム１０８ａ、１０８ｂは、図１に示すようにお互いが引っ込められた状態になるように又は図２に示すようにお互いに対して伸長した状態になるように枢動される。
【先行技術文献】
【特許文献】
【０００３】
【特許文献１】米国特許第９６４０９６１号明細書
【特許文献２】米国特許第９３８３０３８号明細書
【特許文献３】米国特許第９１４４１７４号明細書
【特許文献４】米国特許第９０７２１９０号明細書
【特許文献５】米国特許第８３７９４１０号明細書
【特許文献６】米国特許第８２５１３２１号明細書
【特許文献７】米国特許第８２３１０１４号明細書
【特許文献８】米国特許第７４７３８４６号明細書
【発明の概要】
【発明が解決しようとする課題】
【０００４】
しかしながら、図１に示すように、ラック１０６（又はキャビネット）及び／又は電子機器１００のサイズは予めきまっているため、ラック１０６又は電子機器１００の後ろの空間Ｓが特定の規模に制限される。その結果、限られた空間Ｓ内でケーブル管理アーム１０８ａ、１０８ｂを収容するために、ケーブル管理アーム１０８ａ、１０８ｂのサイズも制限される。そのため、伸長状態のケーブル管理アーム１０８ａ、１０８ｂの長さが制限される。
【０００５】
さらに、ケーブル管理装置１０８が伸長状態でより大きい長さを有する必要がある場合、従来のケーブル管理装置１０８のケーブル管理アーム１０８ａ、１０８ｂの２つの区画の１つに枢結するために追加のケーブル管理アームが用いられる。そのため、ケーブル管理アーム１０８ａ、１０８ｂという２つの区画と追加のケーブル管理アームとを備えるケーブル管理装置１０８はケーブル管理アームの３つの区画を有するケーブル管理装置となる。しかしながら、ケーブル管理アームの３つの区画を有するケーブル管理装置がお互いに対して引っ込められると、ケーブル管理アームの３つの区画を備えるケーブル管理装置の全容積が限られた空間Ｓを上回ってラックシステムに合致させることができなくなる。
【０００６】
したがって、限られた空間の制約下で空間を占有せずに、伸長した場合の長さを大きくできるケーブル管理装置の開発が課題になっている。
【課題を解決するための手段】
【０００７】
本発明は長さが調節可能なケーブル管理装置及び連結アセンブリを提供する。
【０００８】
本発明の一実施形態によれば、ケーブル管理装置は第１のケーブル管理アームと、第２のケーブル管理アームと、補助部材とを含む。第２のケーブル管理アームは第１のケーブル管理アームに対して可動である。補助部材は第１のケーブル管理アーム及び第２のケーブル管理アームのうちの一方に対して伸縮可能である。
【０００９】
本発明の一実施形態によれば、連結アセンブリは第１のスライドレールアセンブリと、第１のケーブル管理装置とを含む。第１のスライドレールアセンブリは第１のレール及び第２のレールを含み、該第１のレール及び該第２のレールは互いに対して可動である。第１のケーブル管理装置は、第１のケーブル管理アームと、第２のケーブル管理アームと、補助部材とを含む。第２のケーブル管理アームは第１のケーブル管理アームに対して枢動可能である。補助部材は第１のケーブル管理アーム及び第２のケーブル管理アームのうちの一方の長さ方向に沿って可動である。補助部材は第１のレールに接続されるように構成されている。第１のケーブル管理アーム及び第２のケーブル管理アームのうちの他方は第２のレールに接続されるように構成されている。
【００１０】
様々な図面に図示する下記の好ましい実施形態の詳細な説明を読み終えた後、本発明の上記の目的及び他の目的が当業者に間違いなく明らかになる。
【図面の簡単な説明】
【００１１】
【図１】図１は、ラックシステムにおいて実施された２つのケーブル管理アームが引っ込められた状態にある従来のケーブル管理装置を示す図である。
【図２】図２は、ラックシステムにおいて実施された２つのケーブル管理アームが伸長された状態にある従来のケーブル管理装置を示す図である。
【図３】図３は、本発明の一実施形態に係るラックシステムの概略図である。
【図４】図４は、本発明の実施形態に係る、ラックシステムの２つのケーブル管理装置に対する２つのスライドレールアセンブリを示す分解図である。
【図５】図５は、本発明の実施形態に係るケーブル管理装置の分解図である。
【図６】図６は、本発明の実施形態に係る、ケーブル管理アームに対して引っ込められた状態にあるケーブル管理装置の補助部材を示す図である。
【図７】図７は、本発明の実施形態に係る、ケーブル管理アームに対して伸長された状態にあるケーブル管理装置の補助部材を示す図である。
【図８】図８は、本発明の実施形態に係る、ラックに対して引っ込められた位置から第１の伸長位置に引き出された保持物体を示す図である。
【図９】図９は、本発明の実施形態に係る、ラックに対して第２の伸長位置にさらに引き出された保持物体を示す図である。
【発明を実施するための形態】
【００１２】
図３及び図４に示すように、本発明の一実施形態におけるラックシステムはラック２０、第１のスライドレールアセンブリ２４、第２のスライドレールアセンブリ３０及び保持物体３６を含む。ラック２０は第１の側２２ａ及び第２の側２２ｂを有する。第１のスライドレールアセンブリ２４はラック２０の第１の側２２ａに取り付けられている。第１のスライドレールアセンブリ２４は少なくとも第１のレール２６及び第２のレール２８を含む。第１のレール２６及び第２のレール２８はお互いに対して動かすことができる。ラック２０の第１の側２２ａに固定取り付けされる第２のレール２８及び第２のレール２８に対して可動な第１のレール２６を一例として以下で説明する。第２のスライドレールアセンブリ３０はラック２０の第２の側２２ｂに取り付けられ、第２のスライドレールアセンブリ３０は第１のスライドレールアセンブリ２４と実質的に平行に置かれている。第２のスライドレールアセンブリ３０は少なくとも第３のレール３２及び第４のレール３４を含む。第３のレール３２及び第４のレール３４はお互いに対して可動である。ラック２０の第２の側２２ｂに固定取り付けされる第４のレール３４及び第４のレール３４に対して可動な第３のレール３２を一例として以下で説明する。保持物体３６は一例としてハードディスクユニット、パワーディストリビューションユニット及び／又は他の電子部品を含む。保持物体３６は第１のスライドレールアセンブリ２４と第２のスライドレールアセンブリ３０との間に取り付けられている。図８及び図９に示すように、保持物体３６は、第１のスライドレールアセンブリ２４の第１のレール２６及び第２のスライドレールアセンブリ３０の第３のレール３２を通じてラック２０に対して引っ込められた位置Ｒから伸長位置に動かすことができる。第１のケーブル管理装置３８は第１のケーブル管理アーム４０及び第２のケーブル管理アーム４２を含む。第２のケーブル管理アーム４２は第１のケーブル管理アーム４０に対して動かすことができる。第２のケーブル管理装置４４は第３のケーブル管理アーム４６及び第４のケーブル管理アーム４８を含むことが好ましい。第４のケーブル管理アーム４８は第３のケーブル管理アーム４６に対して動かすことができる。
【００１３】
少なくとも１つの第１の支持部材５０及び少なくとも１つの第２の支持部材５２は第１のケーブル管理装置３８及び第２のケーブル管理装置４４をそれぞれ支持するように構成されていることが好ましい。
【００１４】
第１の接続ブラケット５４が第１のレール２６に接続され、第２の接続ブラケット５６が第２のレール２８に接続され、第３の接続ブラケット５８が第４のレール３４に接続され、第４の接続ブラケット６０が第３のレール３２に接続されていることが好ましい。前述の接続ブラケット（即ち、第１の接続ブラケット５４、第２の接続ブラケット５６、第３の接続ブラケット５８及び第４の接続ブラケット６０）は、第１のスライドレールアセンブリ２４の高さ方向に対して（又は第２のスライドレールアセンブリ３０の長さ方向に対して）所定の高さを有する。係る長さ方向は、スライドレールアセンブリが延びるか置かれる方向によって定義される。さらに、第１の接続ブラケット５４は上部５５ａ及び下部５５ｂを有する。第２の接続ブラケット５６は上部５７ａ及び下部５７ｂを有する。第３の接続ブラケット５８は上部５９ａ及び下部５９ｂを有する。第４の接続ブラケット６０は上部６１ａ及び下部６１ｂを有する。前述の接続ブラケット（即ち、第１の接続ブラケット５４、第２の接続ブラケット５６、第３の接続ブラケット５８及び第４の接続ブラケット６０）は前述のレール（即ち、第１のレール２６、第２のレール２８、第４のレール３４及び第３のレール３２）にそれぞれ固定接続されていることが好ましい。したがって、第１の接続ブラケット５４は第１のレール２６の一部としてみなすことができ、第２の接続ブラケット５６は第２のレール２８の一部としてみなすことができ、第３の接続ブラケット５８は第４のレール３４の一部としてみなすことができ、第４の接続ブラケット６０は第３のレール３２の一部としてみなすことができる。
【００１５】
さらに、第１のケーブル管理装置３８は補助部材６２を含み、補助部材６２は第１のケーブル管理アーム４０及び第２のケーブル管理アーム４２の一方に対して伸縮可能である。第１のケーブル管理アーム４０に伸縮可能に接続された補助部材６２を一例として以下で説明するが、本発明はそのような構成に限定されない。例えば、実際の要件に応じて、補助部材６２を第２のケーブル管理アーム４２に伸縮可能に接続してもよい。
【００１６】
第１のケーブル管理装置３８は第１の接続部材６４をさらに含むことが好ましい。第１の接続部材６４は第１の対象物体に接続されるように構成されている。例えば、補助部材６２は、第１の接続部材６４を用いることによって保持物体３６及び第１のスライドレールアセンブリ２４の第１のレール２６の一方に取り外し可能に接続されるように構成されている。本実施形態では、第１のケーブル管理アーム４０が第１のレール２６に取り付けられるとともに第１のレール２６に対して所定の高さを有するように補助部材６２は第１の接続部材６４によって第１の接続ブラケット５４の上部５５ａに取り外し可能に接続されている。さらに、第１の接続ブラケット５４は保持物体３６に取り付けることもでき、本発明は係る点で限定されない。
【００１７】
第１のケーブル管理アーム４０及び第２のケーブル管理アーム４２は動かされて図８及び図９に示すようにお互いに対して伸長するか又は図１に示すようにお互いに対して引っ込められる。第２のケーブル管理アーム４２は第２の接続部材６６によって第２の対象物体に接続されている。例えば、第２の接続部材６６はラック２０及び第１のスライドレールアセンブリ２４の第２のレール２８の一方に取り外し可能に接続されている。本実施形態では、第２のケーブル管理アーム４２が第２のレール２８に取り付けられるとともに第２のレール２８に対して所定の高さを有するように、第２のケーブル管理アーム４２は第２の接続部材６６を用いることによって第２の接続ブラケット５６の上部５７ａに取り外し可能に接続されている。さらに、第２の接続ブラケット５６はラック２０に取り付けることもでき、本発明は係る点で限定されない。
【００１８】
少なくとも１つの第１の支持部材５０の第１の接続部５１は、少なくとも１つの第１の支持部材５０が第４のレール３４に取り付けられるともに第４のレール３４に対して所定の高さを有するように第３の接続ブラケット５８の上部５９ａに取り外し可能に接続されている。本実施形態では、一例として、お互いに対して伸縮可能な２つのリンク部材を含む少なくとも１つの第１の支持部材５０を説明する。
【００１９】
例えば、図４〜図９に示すように、第１の支持部材５０は第１のリンク部材５０１、第２のリンク部材５０２及び摺動ベース５０３を含む。第１のリンク部材５０１の端部は第１の接続部５１に枢結されている。第２のリンク部材５０２は第１のリンク部材５０１に伸縮可能に連結されている。摺動ベース５０３は第２のリンク部材５０２に摺動可能に取り付けられるとともに接続ベース７８に枢結されている。接続ベース７８は第１のケーブル管理アーム４０を第２のケーブル管理アーム４２に接続するように構成されている。第１のケーブル管理アーム４０及び第２のケーブル管理アーム４２がお互いに対して図８に示す第１の伸長位置Ｅ１から図９に示す第２の伸長位置Ｅ２に伸長されるか又は第１のケーブル管理アーム４０及び第２のケーブル管理アーム４２がお互いに対して図９に示す第２の伸長位置Ｅ２から図８に示す第１の伸長位置Ｅ１に引っ込められると、摺動ベース５０３が駆動されて第２のリンク部材５０２上で接続ベース７８によって第２のリンク部材５０２が置かる向きに沿って長手方向に摺動する。したがって、第１の支持部材５０は、第１のケーブル管理アーム４０及び第２のケーブル管理アーム４２を伸長するプロセス及び／又は引っ込めるプロセスの間に摺動ベース５０３を用いて第１のケーブル管理装置３８を支持することができ、さらに前述の伸長するプロセス及び／又は引っ込めるプロセスの間に第１のケーブル管理アーム４０及び第２のケーブル管理アーム４２の動きの安定性を高めることができる。
【００２０】
加えて、第１の支持部材５０は停止ピン５０４を含むことができる。停止ピン５０４は、第１のリンク部材の反対側の第２のリンク部材５０２の端部に配置される。第１のケーブル管理アーム４０及び第２のケーブル管理アーム４２がお互いに対して伸長されて図９に示す第２の伸長位置に動かされた場合に、停止ピン５０４は摺動ベース５０３が第２のリンク部材５０２から分離するのを防止するために摺動ベース５０３を止めるように構成されている。
【００２１】
他方、第２のケーブル管理装置４４は第１のケーブル管理装置３８と構造的に実質的に同じである。例えば、第２のケーブル管理装置４４は第３の接続部材６８を含む。第３の接続部材６８は、図８及び図９に示すように支援部材７１に可動に接続されている。第３の接続部材６８は保持物体３６及び第２のスライドレールアセンブリ３０の第３のレール３２の一方に取り外し可能に接続されている。本実施形態では、第３の接続部材６８は、第３のケーブル管理アーム４６を第３のレール３２に取り付けるために第４の接続ブラケット６０の下部６１ｂに取り外し可能に接続されている。別の実施形態では、第４の接続ブラケット６０は保持物体３６に取り付けることもでき、本発明は係る点に限定されない。
【００２２】
第３のケーブル管理アーム４６及び第４のケーブル管理アーム４８は、図８及び図９に示すようにお互いに対して伸長するように又は図１に示すようにお互いに対して引っ込められるように動かされる。第４のケーブル管理アーム４８は第４の接続部材７０によってラック２０及び第２のスライドレールアセンブリ３０の第４のレール３４の一方に取り外し可能に接続されている。本実施形態では、第４のケーブル管理アーム４８は、第４のケーブル管理アーム４８が第４のレール３４に取り付けられるように第４の接続部材７０を用いることによって第３の接続ブラケット５８の下部５９ｂに取り外し可能に接続されている。さらに、第３の接続ブラケット５８はラック２０に取り付けることもでき、本発明は係る点に限定されない。
【００２３】
少なくとも１つの第２の支持部材５２の第２の接続部５３は、少なくとも１つの第２の支持部材５２が第２のレール２８に取り付けられるように第２の接続ブラケット５６の下部５７ｂに取り外し可能に接続されている。本実施形態では、お互いに対して伸縮可能な２つのリンク部材を含む少なくとも１つの第２の支持部材５２を一例として説明する。第２の支持部材５２の構造は第１の支持部材５０のものと同一であるため、本願では簡潔性のためにその詳細な説明を省略する。
【００２４】
上述の構成によれば、第１のケーブル管理装置３８は第２のケーブル管理装置４４の上に位置する。即ち、第１のケーブル管理装置３８及び第２のケーブル管理装置４４はラックシステムの上層及び下層にそれぞれ位置し、保持物体３６の後ろのケーブルを配置又は収容するように構成されている。第１のスライドレールアセンブリ２４及び第１のケーブル管理装置３８（又は第２のスライドレールアセンブリ３０及び第２のケーブル管理装置４４）は共同で連結アセンブリを形成する。
【００２５】
図５及び図６に示すように、第１のケーブル管理アーム４０はガイド部７４を含む。第１のケーブル管理アーム４０は第１の壁７６ａ、第２の壁７６ｂ及び側壁７６ｃを含む。側壁７６ｃは第１の壁７６ａ及び第２の壁７６ｂの間に接続され、第１の壁７６ａ、第２の壁７６ｂ及び側壁７６ｃは通路としてガイド部７４を共同で定義する。他方、補助部材６２は長さを有し、ガイド部７４は補助部材６２の動きを促進する。
【００２６】
代替的な実施形態では、補助部材６２を第１のケーブル管理アーム４０に対して動かすことができるように補助部材６２は長い孔（又は長いスロット）対突起を通じて第１のケーブル管理アーム４０と協働するが、本発明はそのような構成に限定されない。
【００２７】
第１のケーブル管理アーム４０及び第２のケーブル管理アーム４２は、第１のケーブル管理アーム４０が第２のケーブル管理アーム４２に対して枢動するようにお互いに枢結されている。例えば、第１のケーブル管理アーム４０及び第２のケーブル管理アーム４２は接続ベース７８を通じて互いに枢結されている。実際の用途では、第１のケーブル管理アーム４０及び第２のケーブル管理アーム４２は２つのピン８０ａ、８０ｂのそれぞれを通じて接続ベース７８に枢結されている。接続ベース７８は第１のケーブル管理アーム４０と第２のケーブル管理アーム４２との間に配置されている。あるいは、別の実施形態では、第１のケーブル管理アーム４０及び第２のケーブル管理アーム４２は接続ベース７８を用いることなく端部で互いに枢結できるが、本発明は係る点で限定されない。第１のケーブル管理アーム４０、第２のケーブル管理アーム４２及び／又は接続ベース７８はケーブル保持部８２を含むことが好ましい。ケーブル保持部８２は前述の保持物体３６のケーブルを収容するように構成されている。
【００２８】
さらに、第１の接続部材６４は補助部材６２に可動に接続され、第２の接続部材６６は第１のケーブル管理アーム４０及び第２のケーブル管理アーム４２の一方に可動に接続される。例えば、一例として、第２の接続部材６６は第２のケーブル管理アーム４２に可動に接続されている。第１の接続部材６４は補助部材６２の端部に枢結され、第２の接続部材６６は第２のケーブル管理アーム４２の端部に枢結されている。他方、少なくとも１つの第１の支持部材５０は第１のケーブル管理装置３８の底部を支持する。以下では、一例として少なくとも１つの第１の支持部材５０は、第１のケーブル管理アーム４０及び第２のケーブル管理アーム４２を支持するために接続ベース７８の底部上で可動に構成されている。
【００２９】
図６及び図７に示すように、補助部材６２は第１のケーブル管理アーム４０の長さ方向に沿って可動である。実際の用途では、補助部材６２は、補助部材６２が第１のケーブル管理アーム４０に対して引っ込められた状態になるか又は伸長した状態になることができるように第１のケーブル管理アーム４０に対して第１の位置Ｐ１と第２の位置Ｐ２との間で動かすことができる。補助部材６２が第１の位置Ｐ１と第２の位置Ｐ２との間だけを動くことができるようにするために２つの規制部が用いられることが好ましい。補助部材６２が１つの位置、例えば第２の位置Ｐ２に動かされた場合、第１のケーブル管理装置３８の長さ全体を増やすことができる。
【００３０】
図８に示すように、第１のレール２６及び第３のレール３２が、第２のレール２８及び第４のレール３４に対して前述の引っ込め位置Ｒから第１の伸長位置Ｅ１に方向Ｄに沿って動かされた場合、保持物体３６は、第１のレール２６及び第３のレール３２によってラック２０に対して第１の伸長位置Ｅ１に動かされる。
【００３１】
上述のプロセスの間、第１のケーブル管理装置３８の第１のケーブル管理アーム４０及び第２のケーブル管理アーム４２は枢動してお互いに対して徐々に伸長し、補助部材６２は第１のケーブル管理アーム４０に対して１つの位置に、例えば前述の第２の位置Ｐ２に動かされる。さらに、少なくとも１つの支持部材５０は第１のケーブル管理アーム４０及び第２のケーブル管理アーム４２の一方を支持するように構成されている。具体的には、第２のケーブル管理装置４４の第３のケーブル管理アーム４６及び第４のケーブル管理アーム４８は枢動してお互いに対して徐々に伸長し、支援部材７１は第３のケーブル管理アーム４６に対して第３のケーブル管理アーム４６の長さ方向に沿って動かされる。さらに、少なくとも１つの第２の支持部材５２は第３のケーブル管理アーム４６及び第４のケーブル管理アーム４８の一方を支持するように構成されている。
【００３２】
図９に示すように、第１のレール２６及び第３のレール３２が、第２のレール２８及び第４のレール３４に対して前述の第１の伸長位置Ｅ１から第２の伸長位置Ｅ２に方向Ｄに沿ってそれぞれ動かされると、保持物体３６は第１のレール２６及び第３のレール３２によってラック２０に対して第２の伸長位置Ｅ２にさらに動かされる。
【００３３】
第１のケーブル管理装置３８の第１のケーブル管理アーム４０及び第２のケーブル管理アーム４２は枢動してお互いに対して伸長する。具体的には、第２のケーブル管理装置４４の第３のケーブル管理アーム４６及び第４のケーブル管理アーム４８は枢動してお互いに対して伸長する。
【００３４】
第１のスライドレールアセンブリ２４及び第２のスライドレールアセンブリ３０はそれぞれ中間レール２７をさらに含むことが好ましい。中間レール２７は第２のレール２８に対する第１のレール２６の変位及び第４のレール３４に対する第３のレール３２の変位を大きくするように構成されている。
【００３５】
上述したように、本発明の実施形態におけるケーブル管理装置及び連結アセンブリは、ケーブル管理装置３８は、下記の利点に寄与する第１のケーブル管理アーム４０に対して引っ込められた状態又は伸長した状態になることができる補助部材６２を含む。さらに、引っ込められた状態にある補助部材６２は、第１のケーブル管理アーム４０及び第２のケーブル管理アーム４２がお互いに対して引っ込められている場合、ケーブル管理装置３８がスペースを取らないように、例えばスライドレールアセンブリ、保持物体又はラックの後ろのスペースを取らないようにすることができる。さらに、伸長状態にある補助部材６２は、変位がより長いことについての要件又は長さに関する他の要件を満たすためにケーブル管理装置３８の長さ全体を延ばすことができる。
【００３６】
当業者であれば、本発明の教示を維持しながら多くの変更及び改良が装置及び方法に加えられ得ることに容易に気付く。従って、上記の開示は、添付の請求項の範囲によってのみ限定されると解釈すべきである。
【符号の説明】
【００３７】
２０  ラック
２２ａ  第１の側
２２ｂ  第２の側
２４  第１のスライドレールアセンブリ
２６  第１のレール
２８  第２のレール
３０  第２のスライドレールアセンブリ
３２  第３のレール
３４  第４のレール
３６  保持物体
３８  第１のケーブル管理装置
４０  第１のケーブル管理アーム
４２  第２のケーブル管理アーム
４４  第２のケーブル管理装置
４６  第３のケーブル管理アーム
４８  第４のケーブル管理アーム
５０  第１の支持部材
５２  第２の支持部材
５４  第１の接続ブラケット
５６  第２の接続ブラケット
５８  第３の接続ブラケット
６０  第４の接続ブラケット
６２  補助部材
６４  第１の接続部材
６６  第２の接続部材
６８  第３の接続部材
７０  第４の接続部材
７４  ガイド部
７６  壁
７８  接続ベース
８０  ピン
【図１】
2019037117.tif 000003
【図２】
2019037117.tif 000004
【図３】
2019037117.tif 000005
【図４】
2019037117.tif 000006
【図５】
2019037117.tif 000007
【図６】
2019037117.tif 000008
【図７】
2019037117.tif 000009
【図８】
2019037117.tif 000010
【図９】
2019037117.tif 000011